(57)【要約】【課題】今迄の手提げホルダーでは、ショルダー機能が無く、重く大きな荷物でも手提げで持帰らなければならなかった。本発明では、板状ホルダー部品にベルトを掛け止める切込み貫通穴を設け、フック部品の付いたベルト部品を確実に巻き付け、長さ調整をする事で手に馴染む手提げホルダーにも、肩に馴染むショルダーパッド付き肩掛けショルダーにもなるようにし、且つフック部品と、ベルト部品を用いる事で、大きな持ち手や、多数の持ち手にベルトを通し、そのベルトにフック部品を掛け相当な嵩の持ち手を保持出来るようにした。【解決手段】手提げホルダー兼ショルダーにするために、板状ホルダー部品に両端にフックの付いたベルトを巻き、その数で長さ調節が出来るようにした。【選択図】図８
2017104467.tif 000002
【特許請求の範囲】
【請求項１】
ベルト部品と、該ベルト部品の両端に取付けられたフック部品と、該ベルト部品を巻き付ける事が可能なホルダー部品とから構成される事を特徴とする運搬補助具。
【請求項２】
請求項１に記載の運搬補助具において、該ホルダー部品の長手方向の両端部には、該ベルト部品を巻き止めるための、切込みの有る貫通穴が形成されている事を特徴とする運搬補助具。
【請求項３】
請求項１、又は２に記載の運搬補助具において、該ホルダー部品は、板状体で形成すると共に、該板状体の表面に該板状体を折り曲げるためのヒンジ用溝が形成されている事を特徴とする運搬補助具。
【請求項４】
請求項１、又は２、又は３に記載の運搬補助具において、該フック部品の一部には、該ホルダー部品の端部を挿入可能な貫通穴が形成され、該ホルダー部品の一部には、該フック部品を掛け止めるための切込みが形成されている事を特徴とする運搬補助具。
【発明の詳細な説明】
【技術分野】
【０００１】  沢山の荷物や大きい荷物、重い荷物等手提げ荷物をふらつかなく簡単に纏めて楽に、手提げでも肩掛けでも運べる運搬補助具に関する物である。
【背景技術】
【０００２】  今迄のサービスで貰える手提げホルダーでは、肩に掛ける事が出来ないので長時間でも手提げで運ばなければならず、且つ前記の手提げホルダーでは、ベルト等が付属していないためベルト部分で纏めて多数の手提げ荷物の持ち手を同時に保持する事は出来なかった。【０００３】  今迄の市販の手提げホルダーで、スーパーのレジ袋の持ち手をホルダーの長手方向に包むものは、レジ袋の長手方向が進行方向に対し横向きになり足にぶつかり不合理であり、持ち手の輪を一本のハンドルに通すタイプのものは、歩行時に荷物がぶらぶらして不安定で運びにくかった。
【先行技術文献】
【特許文献】
【０００４】
【特許文献１】実登３０８３８５４
【特許文献２】特開２００２−６８２１８
【特許文献３】特開２０１１−５２０７
【特許文献４】特開２０１３−１５０７５８
【発明の概要】
【発明が解決しようとする課題】
【０００５】  特許文献１の手提げホルダーは、レジ袋の持ち手をホルダーの長手方向に包むもので、レジ袋の長手方向が進行方向に対し横向きになり、荷物が足にぶつかり不合理であり、簡単安価ではあるがショルダー式にならない。【０００６】  特許文献２の手提げホルダーは、レジ袋の持ち手の輪を一本のハンドルに通すもので歩行時には荷物がぶらぶらして不安定で運びにくく、ショルダーとして肩掛けが出来ない。【０００７】  特許文献３の手提げホルダーは、ショルダーベルト等の長さと手提げホルダーの長さを任意に調整が出来ない、又３種類以上の長さ調整をするためには、ドット釦の数を増やさなければならず、その場合には重い荷物を持ち上げた時に、手で握っていない部分のドット釦が重みに耐えられずにはじけてしまう。【０００８】  特許文献４の手提げホルダーは、レジ袋の持ち手をホルダーの長手方向に包むもので、レジ袋の長手方向が進行方向に対し横向きになり、荷物が足にぶつかり不合理であり、簡単安価であるがショルダー式にならない、又カードサイズと大きさを限定した短辺の周囲で出来る円周の内側では、太い持ち手や沢山の持ち手を保持する事や、且つショルダーとして肩掛けが出来ない。【０００９】  以上のような従来の発明には、安価で、歩いた時にふら付かず荷物が邪魔にならない手提げホルダー機能と、長さ調節が自由でショルダー機能を兼ね備えたものが無く、売り場から駐車場位の距離程度であれば便利でしたが、交通機関や徒歩での長距離運搬には耐えられない事も多く、長時間片手がふさがってしまう事も欠点であった。
【課題を解決するための手段】
【００１０】  本発明は、手提げホルダーとしても、肩掛けショルダーとしても手荷物を運搬出来るようにするためにベルト部品と、該ベルト部品の両端に取付けられたフック部品と、該ベルト部品を巻き付ける事が可能なホルダー部品とから構成した、又この該ベルト部品は、紐状のものや、テープ状のものでも良い。【００１１】  次に、相当に重い荷物でもベルトが外れずに又、手に食い込まず、手提げホルダーで持てるようにするため、該ホルダー部品の長手方向の両端部には、該ベルト部品を巻き止めるための、切込みの有る貫通穴と、該ホルダー部品を板状体ホルダー部品にし、表面に該板状体ホルダー部品を折り曲げるためのヒンジ用溝を形成した、この時該ベルト部品を該ホルダー部品に挿嵌するためのＺ型、Ｈ型等の切欠きを該ホルダー部品に設けても良い。【００１２】  次に、安価で広告名入れも出来、且つ販売時にサービスで渡せ、長く再利用が出来る運搬補助具として、該フック部品の一部には、該ホルダー部品の端部を挿入可能な貫通穴が形成され、該ホルダー部品の一部には、該フック部品を掛け止めるための切込みを形成した。
【発明の効果】
【００１３】  近年は、買い物もネットで出来、さらに近所のスーパー等では食品等はその日や、翌日に配達してもらえ、日用品でも数日で配送等をしてくれます、しかし、毎日の食品をネットで注文すると割高であり、配達料金も別料金が掛かります。そして働く女性達は配達時間に自宅に居ない時も多いようで、実際には仕事帰りにスーパーに寄って買い物をする姿を多く見かけます、このような女性達は決まってハンドバッグに書類バッグ、そしてスーパーの荷物を手持ちしている事が多い。さらに、高齢者社会、年金社会に入り、その人達には車も金も無く、食品の値上がりが続き、さらに上がる消費税、下がる年金受給で、この先割高なネットでの配達食品は買う事が出来なくなりました。昼間、スーパーに行けば大きな買い物や、重い買い物をしている男性を多く見る事が出来ますがショルダーのエコバッグや、カートを持っている男性は殆どいません、空のエコバッグや、カートを持つのが嫌なのか、ショルダーにならない物が多いためだと思います、働く女性達もエコバッグは邪魔になるのか、使い勝手が悪いのか、多くの方がレジ袋を使っている。これらの問題にも、畳めばクレジットカードより少し大きく少し厚い程度の小さな、ショルダーになる手提げホルダーは男性のズボンのポケットや、ハンドバッグにも楽に入るため、持ち運びにも便利で大変効果的に出来る。【００１４】  又、近年の秋葉原、銀座、新宿、大阪心斎橋等で外国観光客はバスで来て爆買いしているが、数時間後にしか迎えのバスが来ないのでその間、爆外客は店で付けてくれた手提げホルダーだけで大きな荷物や、沢山の荷物を両手で持ったり、歩道に置き置き、休み休みに追加の買い物をしている姿を見ます、このような買物用にこのショルダーになる手提げホルダーは安価に出来、大変効果的である。【００１５】  そして、このショルダーになる手提げホルダーは、手提げホルダーや、抱きかかえるような短いショルダーや、普通のショルダー、そして袈裟掛けにしたショルダーとしても長さ調整をして、使用が出来るため大変効果的である。
【図面の簡単な説明】
【００１６】
【図１】運搬補助具の正面図である。
【図２】略Ｈ型にした運搬補助具の正面図である。
【図３】ヒンジ用溝の付いた運搬補助具の正面図である。
【図４】ヒンジ用溝の付いた運搬補助具を立体形にした斜視図である。
【図５】貫通穴を形成したフック部品の正面図である。
【図６】フック部品用切込み付き板状ホルダー部品の正面図である。
【図７】運搬補助具の手提げ状態での使用図である。
【図８】運搬補助具のショルダー状態での使用図である。
【発明を実施するための形態】
【００１７】  以下、本発明の実施の形態を図１〜図８に基づいて説明する。
【００１８】  図１に於いては、手提げホルダー兼ショルダーにするために、ホルダー部品１Ａに、両端にフック部品１Ｄを取付けたベルト部品１Ｃをホルダー部品１Ａに巻く回数で長さ調節が出来き、且つベルト部品１Ｃがホルダー部品１Ａから外れないように巻くために、ホルダー部品１Ａに切込み貫通穴１Ｂを設けてある。
【００１９】  図２に於いては、さらに持ち易くなるように略矩形のホルダー部品を、略Ｈ型ホルダー部品１Ａ−ａにしている。
【００２０】  図３、４に於いては、さらに重い物を楽に持てるように、略矩形の板状ホルダー部品１０Ａの表面に折り曲げるためのヒンジ用溝１０Ｂを設け、立体形に曲げ、握りの面積を増やし、且つ手に馴染むようにしている。
【００２１】  図５に於いては、さらに手提げホルダーとして、立体形に折った板状ホルダー部品１０Ａの形状を維持するために、フック部品３０Ａに該板状ホルダー用の貫通穴３０Ｃと、ベルト部品結合用貫通穴３０Ｂと、フック用切込み付き貫通穴３０Ｄを設けている。
【００２２】  図６に於いては、板状ホルダー部品１０Ａにフック部品３０Ａを差し込み保持させるための切欠き２０Ｂを設けて、板状ホルダー部品を２０Ａとした。
【００２３】  図７に於いては、手提げ状態で使用する際に、板状ホルダー部品２０Ａにフック部品３０Ａを嵌め込み、その後からベルト掛け用の切込み貫通穴にフック部品３０Ａに、余った状態のベルト分である、押え分ベルトで水平方向に巻きとめ、フック部品３０Ａがさらに外れ難くなるようにした。
【００２４】  図８に於いては、ショルダー状態で使用する際に、ベルト掛け用の切込み貫通穴にベルト部品を巻きとめた後、微調整分の状態のベルト分である、微調整分ベルトを板状ホルダー部品２０Ａの短手方向に巻き、任意のショルダーベルト分の長さで使用出来るようにした。
【符号の説明】
【００２５】１Ａ      ホルダー部品１
１Ａ−ａ  ホルダー部品２
１Ａ−ｂ  幅広部
１Ｂ      切込み貫通穴１
１Ｂ−ａ  切込み貫通穴２
１Ｃ      ベルト部品
１Ｃ−ａ  フック部品２押えベルト分
１Ｃ−ｂ  微調整ベルト分
１Ｃ−ｃ  ショルダー分ベルト
１Ｄ      フック部品１
１０Ａ    板状ホルダー部品３
１０Ｂ    ヒンジ用溝
１０Ｃ    ベルト押え切欠き
２０Ａ    板状ホルダー部品４
２０Ｂ    フック部品２用切込み
３０Ａ    フック部品２
３０Ｂ    ベルト部品結合用貫通穴
３０Ｃ    立体形状用貫通穴
３０Ｄ    フック用切込み付き貫通穴
４０Ａ    荷物
４０Ｂ    荷物の持ち手
【図１】
2017104467.tif 000003
【図２】
2017104467.tif 000004
【図３】
2017104467.tif 000005
【図４】
2017104467.tif 000006
【図５】
2017104467.tif 000007
【図６】
2017104467.tif 000008
【図７】
2017104467.tif 000009
【図８】
2017104467.tif 000010